(57)【要約】【課題】指向性を有するスクリーンを使用する場合であっても、各部分映像が互いに隣接する部分における輝度の差を生じにくくする。【解決手段】投写型映像表示システム１０１は、所定の輝度半値角で入射光を拡散するスクリーン１１と、スクリーン１１に映像をそれぞれ投写する複数のプロジェクタ２１とを備える。複数のプロジェクタ２１のうち、スクリーン１１において互いに隣接する領域に映像をそれぞれ投写する各一対のプロジェクタ２１は、当該一対のプロジェクタ２１とスクリーン１１との間における当該一対のプロジェクタ２１の光軸間の距離が、スクリーン１１に近づくにつれて次第に増大するように構成される。【選択図】図５
2020071308.tif 000002
【特許請求の範囲】
【請求項１】
所定の輝度半値角で入射光を拡散するスクリーンと、
前記スクリーンに映像をそれぞれ投写する複数の投写型映像表示装置とを備え、
前記複数の投写型映像表示装置のうち、前記スクリーンにおいて互いに隣接する領域に映像をそれぞれ投写する各一対の投写型映像表示装置は、当該一対の投写型映像表示装置と前記スクリーンとの間における当該一対の投写型映像表示装置の光軸間の距離が、前記スクリーンに近づくにつれて次第に増大するように構成された、
投写型映像表示システム。
【請求項２】
前記各投写型映像表示装置は、当該投写型映像表示装置から前記スクリーンへの光軸の方向を変更するレンズシフト機構を備えた、
請求項１記載の投写型映像表示システム。
【請求項３】
前記各投写型映像表示装置は、前記スクリーンにおいて互いに隣接する領域に映像をそれぞれ投写する各一対の投写型映像表示装置の光軸間の距離が前記スクリーンに近づくにつれて次第に増大するように、前記スクリーンに対して配置された、
請求項１記載の投写型映像表示システム。
【請求項４】
前記スクリーンは、前記スクリーンの面に対して垂直に前記入射光が到来するとき、６０度より小さい輝度半値角で前記入射光を拡散するように構成された、
請求項１〜３のうちの１つに記載の投写型映像表示システム。
【請求項５】
前記スクリーンは、前記スクリーンの面に対して垂直に前記入射光が到来するとき、４５度以下の輝度半値角で前記入射光を拡散するように構成された、
請求項１〜３のうちの１つに記載の投写型映像表示システム。
【請求項６】
前記スクリーンは、前記スクリーンの面に対して垂直に前記入射光が到来するとき、３０度以下の輝度半値角で前記入射光を拡散するように構成された、
請求項１〜３のうちの１つに記載の投写型映像表示システム。
【請求項７】
前記各投写型映像表示装置は、前記スクリーンにおいて互いに隣接する領域にそれぞれ投写される各一対の映像が互いに部分的に重畳されるように、かつ、一方の映像の領域から他方の映像の領域に進むときに、部分的に重畳する領域において前記一方の映像の輝度が次第に低下して前記他方の映像の輝度が次第に増大するように、前記スクリーンに映像をそれぞれ投写するように構成された、
請求項１〜６のうちの１つに記載の投写型映像表示システム。
【請求項８】
前記スクリーンは前記入射光を拡散反射するように構成された、
請求項１〜７のうちの１つに記載の投写型映像表示システム。
【請求項９】
前記スクリーンは、前記入射光を部分的に拡散反射し、前記入射光を部分的に直接透過するように構成された、
請求項１〜７のうちの１つに記載の投写型映像表示システム。
【請求項１０】
前記スクリーンは前記入射光を拡散透過するように構成された、
請求項１〜７のうちの１つに記載の投写型映像表示システム。
【請求項１１】
前記スクリーンは、前記入射光を部分的に拡散透過し、前記入射光を部分的に直接透過するように構成された、
請求項１〜７のうちの１つに記載の投写型映像表示システム。
【発明の詳細な説明】
【技術分野】
【０００１】
本開示は、複数の投写型映像表示装置を含む投写型映像表示システムに関する。
【背景技術】
【０００２】
特許文献１は、複数の投写型映像表示装置（プロジェクタ）を含む投写型映像表示システム（マルチプロジェクションシステム）を開示している。各投写型映像表示装置は、単一のスクリーンにおける互いに異なる領域に映像をそれぞれ投写するように、互いに異なる位置にそれぞれ配置される。１つのソース映像を複数の部分映像に空間的に分割し、各投写型映像表示装置により部分映像をスクリーンにそれぞれ投写することにより、１つの投写型映像表示装置により投写可能な領域を超える広い領域にソース映像を投写することができる。
【０００３】
上述のような投写型映像表示システムは、不透明な反射型のスクリーンを使用してもよく、特許文献２に開示されるような透明な透過型（又は反射型）のスクリーンを使用してもよい。
【先行技術文献】
【特許文献】
【０００４】
【特許文献１】特開２００８−２１６４２７号公報
【特許文献２】特許第５２１４５７７号公報
【発明の概要】
【発明が解決しようとする課題】
【０００５】
十分に大きな視野角を有するスクリーンを提供するためには、スクリーンが入射光を反射又は透過する際に入射光を十分に拡散することが求められる。「十分に拡散する」とは、スクリーンの面に対して垂直に入射光が到来するとき、スクリーンの面に対して垂直な反射光又は透過光の輝度を基準として、その半値角が十分に大きいこと、例えば６０度以上であること（「完全拡散」ともいう）を意味する。しかしながら、ある種のスクリーン、特に透過型のスクリーンでは、入射光はあまり拡散されず、反射光又は透過光の輝度の半値角は６０度よりもずっと小さくなる（本明細書では「指向性を有する」ともいう）。
【０００６】
指向性を有するスクリーンに対して複数の投写型映像表示装置から部分映像を投写する場合、スクリーンにおいて部分映像が互いに隣接する部分では、一般に、対応する各投写型映像表示装置からスクリーンへの入射角は互いに異なる。ここで、各部分映像が互いに隣接する部分では、観察者から見て、各部分映像の輝度が一致していなければならない。しかしながら、指向性を有するスクリーンでは、各投写型映像表示装置からスクリーンへの入射角が互いに異なることと、反射光又は透過光の輝度の半値角が小さいこととに起因して、観察者から見て各部分映像の輝度に有意な差が生じることがある。従って、指向性を有するスクリーンを使用する場合であっても、各部分映像が互いに隣接する部分における輝度の差を生じにくい投写型映像表示システムが求められる。
【０００７】
本開示の目的は、指向性を有するスクリーンを使用する場合であっても、各部分映像が互いに隣接する部分における輝度の差を生じにくい投写型映像表示システムを提供することにある。
【課題を解決するための手段】
【０００８】
本開示の一態様に係る投写型映像表示システムは、所定の輝度半値角で入射光を拡散するスクリーンと、スクリーンに映像をそれぞれ投写する複数の投写型映像表示装置とを備える。複数の投写型映像表示装置のうち、スクリーンにおいて互いに隣接する領域に映像をそれぞれ投写する各一対の投写型映像表示装置は、当該一対の投写型映像表示装置とスクリーンとの間における当該一対の投写型映像表示装置の光軸間の距離が、スクリーンに近づくにつれて次第に増大するように構成される。
【発明の効果】
【０００９】
本開示によれば、指向性を有するスクリーンを使用する場合であっても、各部分映像が互いに隣接する部分における輝度の差を生じにくい投写型映像表示システムを提供することができる。
【図面の簡単な説明】
【００１０】
【図１】第１の実施形態の第１の比較例に係る投写型映像表示システム２０１の構成を示す図である。
【図２】エッジブレンディングにより互いに部分的に重畳される映像の輝度の変化を説明する図である。
【図３】第１の実施形態の第２の比較例に係る投写型映像表示システム２０２の構成を示す図である。
【図４】図１の投写型映像表示システム２０１及び図３の投写型映像表示システム２０２において観察者３１から見たスクリーンの輝度の変化を示すグラフである。
【図５】第１の実施形態に係る投写型映像表示システム１０１の構成を示す図である。
【図６】図１の投写型映像表示システム２０１及び図５の投写型映像表示システム１０１において観察者３１から見たスクリーンの輝度の変化を示すグラフである。
【図７】第１の実施形態の第１の変形例に係る投写型映像表示システム１０２の構成を示す図である。
【図８】図７のプロジェクタ２１Ａ−１のレンズシフト動作を説明する図である。
【図９】第１の実施形態の第２の変形例に係る投写型映像表示システム１０３の構成を示す図である。
【図１０】第１の実施形態の第３の変形例に係る投写型映像表示システム１０４の構成を示す図である。
【図１１】第２の実施形態の第１の比較例に係る投写型映像表示システム２１１の構成を示す図である。
【図１２】第２の実施形態の第２の比較例に係る投写型映像表示システム２１２の構成を示す図である。
【図１３】第２の実施形態に係る投写型映像表示システム１１１の構成を示す図である。
【図１４】第２の実施形態の第１の変形例に係る投写型映像表示システム１１２の構成を示す図である。
【図１５】第２の実施形態の第２の変形例に係る投写型映像表示システム１１３の構成を示す図である。
【図１６】第２の実施形態の第３の変形例に係る投写型映像表示システム１１４の構成を示す図である。
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者は、当業者が本開示を十分に理解するために添付図面及び以下の説明を提供するのであって、これらによって特許請求の範囲に記載の主題を限定することを意図するものではない。
【００１３】
［１．第１の実施形態］
以下、図１〜図１０を参照して、第１の実施形態について説明する。
【００１４】
［１−１．比較例の構成］
図１は、第１の実施形態の第１の比較例に係る投写型映像表示システム２０１の構成を示す図である。図１では、スクリーンが完全拡散性を有する場合について説明する。投写型映像表示システム２０１は、スクリーン１１Ａ、プロジェクタ２１−１，２１−２、及び制御装置２２を含む。
【００１５】
スクリーン１１Ａは平坦な反射型のスクリーンである。スクリーン１１Ａの輝度半値角θＡは６０度以上であり、スクリーン１１Ａは完全拡散性を有し、ランバートの余弦則に従う。
【００１６】
プロジェクタ２１−１，２１−２は、スクリーン１１Ａにおいて互いに隣接する領域に映像をそれぞれ投写するように、互いに異なる位置にそれぞれ配置される。プロジェクタ２１−１，２１−２は、角度α１，α２にわたって映像をそれぞれ投写し、投写された映像はスクリーン１１Ａの面において互いに部分的に重畳する。本明細書において、プロジェクタ２１−１，２１−２等を、総称して、「プロジェクタ２１」ともいう。また、本明細書において、「プロジェクタ」を「投写型映像表示装置」ともいう。
【００１７】
制御装置２２は、ソース装置（図示せず）から取得したソース映像を複数の部分映像に分割し、後述するエッジブレンディングのために各部分映像を処理し、各部分映像をプロジェクタ２１−１，２１−２によりそれぞれ投写させる。
【００１８】
プロジェクタ２１−１，２１−２は、それらの光軸Ｐ１，Ｐ２がスクリーン１１Ａの面に対して垂直になるようにそれぞれ配置される。各プロジェクタ２１−１，２１−２の光軸Ｐ１，Ｐ２は、スクリーン１１Ａの点Ｑ１，Ｑ２にそれぞれ交差する。プロジェクタ２１−１，２１−２は、互いに距離２×ｄ１を有し、また、スクリーン１１Ａから距離ｄ２を有して配置される。図１では、「−ｄ１」、「０」、及び「＋ｄ１」によりスクリーン１１Ａの横座標を示し、他の図面でも同様にスクリーンの座標を示す。
【００１９】
観察者３１〜３３は、スクリーン１１Ａに投写された映像を見る。観察者３１は、スクリーン１１Ａの座標「−ｄ１」の点の正面に位置し、観察者３２は、スクリーン１１Ａの座標「０」の点の正面に位置し、観察者３３は、スクリーン１１Ａの座標「＋ｄ１」の点の正面に位置する。
【００２０】
図１において、スクリーン１１Ａにおけるいくつかの点を始点とする矢印は、スクリーン１１Ａの反射光の配光特性を概略的に表し、他の図面でも同様に配光特性を表す。
【００２１】
投写型映像表示システム２０１では、反射型のスクリーン１１Ａを用いるので、スクリーン１１Ａに対して観察者３１〜３３と同じ側に各プロジェクタ２１−１，２１−２が配置される。
【００２２】
図２は、エッジブレンディングにより互いに部分的に重畳される映像の輝度の変化を説明する図である。プロジェクタ２１−１，２１−２は、スクリーン１１Ａにおいて互いに隣接する領域にそれぞれ投写される部分映像を滑らかに連結するために、エッジブレンディングを行う。前述のように、各プロジェクタ２１−１，２１−２からスクリーン１１Ａに投写された部分映像は、互いに部分的に重畳する。このとき、各プロジェクタ２１−１，２１−２は、一方の部分映像の領域から他方の部分映像の領域に進むときに、部分的に重畳する領域において一方の部分映像の輝度が次第に低下して他方の部分映像の輝度が次第に増大するように、スクリーン１１Ａに部分映像をそれぞれ投写する。プロジェクタ２１−１によって投写される部分映像の輝度は、例えば、部分的に重畳する領域の中央（座標「０」）において、プロジェクタ２１−２によって投写される部分映像に重畳しない領域の輝度の半分になる。同様に、プロジェクタ２１−２によって投写される部分映像の輝度は、例えば、部分的に重畳する領域の中央において、プロジェクタ２１−１によって投写される部分映像に重畳しない領域の輝度の半分になる。このように部分映像の輝度を変化させることにより、プロジェクタ２１−１によって投写される部分映像の領域からプロジェクタ２１−２によって投写される部分映像の領域にわたって、映像の輝度が連続的に変化し、従って、滑らかに連結された自然な映像が表示される。
【００２３】
エッジブレンディングでは、通常、スクリーン１１Ａの中央（座標「０」）の正面に位置する観察者３２から見える映像に基づいて、各部分映像が適切に連結されるように各部分映像を処理する。
【００２４】
再び図１を参照すると、各プロジェクタ２１−１，２１−２からスクリーン１１Ａへの入射角は、スクリーン１１Ａの各点の座標に応じて異なる。ただし、スクリーン１１Ａが完全拡散性を有するので、全面にわたって一様な輝度を有する映像を投写する場合、スクリーン１１Ａのどの点も互いに同じ輝度で見え、かつ、スクリーン１１Ａを見る観察者の位置にかかわらずスクリーン１１Ａは一定の輝度で見える。また、この場合、エッジブレンディングを行うことにより、各プロジェクタ２１−１，２１−２によりスクリーン１１Ａに投写された部分映像を滑らかに連結することができる。
【００２５】
図３は、第１の実施形態の第２の比較例に係る投写型映像表示システム２０２の構成を示す図である。図３では、スクリーンが指向性を有する場合について説明する。投写型映像表示システム２０２は、図１の完全拡散性のスクリーン１１Ａに代えて、指向性を有するスクリーン１１を備える。
【００２６】
スクリーン１１は平坦な反射型のスクリーンである。スクリーン１１は、スクリーン１１の面に対して垂直に入射光が到来するとき、スクリーン１１の面に対して垂直な反射光の輝度を基準として、６０度より小さくゼロより大きい輝度半値角θ０で入射光を拡散する。スクリーン１１は、スクリーン１１の面に対して非ゼロの入射角で入射光が到来するときもまた、所定の配光特性で入射光を拡散する。スクリーン１１が指向性を有するので、スクリーン１１の各点による反射光の反射角は、各プロジェクタ２１−１，２１−２からスクリーン１１への入射角に応じて、すなわち、スクリーン１１の各点の座標に応じて異なる。これにより、全面にわたって一様な輝度を有する映像を投写する場合であっても、スクリーン１１の各点の輝度は、各点の座標に応じて異なり、また、スクリーン１１を見る観察者の位置に応じて異なる。
【００２７】
図４は、図１の投写型映像表示システム２０１及び図３の投写型映像表示システム２０２において観察者３１から見たスクリーンの輝度の変化を示すグラフである。図４は、スクリーン１１Ａ，１１の座標−ｄ１〜＋ｄ１の範囲における各点を観察者３１から見たときの相対輝度を表す。図４によれば、完全拡散性を有するスクリーン１１Ａでは、その各点の輝度がほぼ連続的かつ滑らかに変化するように見え、滑らかに連結された自然な映像が表示されることがわかる。一方、指向性を有するスクリーン１１では、各部分映像が互いに隣接する部分（座標「０」の付近）において輝度が大きく変化するように見える。
【００２８】
図３の投写型映像表示システム２０２においてエッジブレンディングを行うと、エッジブレンディングを行わない場合よりも、部分映像が互いに部分的に重畳される領域において輝度の変化が緩和される。しかし、観察者３１からは、依然として、各部分映像が互いに隣接する部分において輝度が大きく変化するように見える。従って、例えば大画面のスクリーンを大勢の観察者が見る際、スクリーンに対して斜め方向に位置した観察者から見て、映像の各点の輝度が非常に不自然に変化する。
【００２９】
以下、指向性を有するスクリーンを使用する場合であっても、各部分映像が互いに隣接する部分における輝度の差を生じにくい、実施形態に係る投写型映像表示システムについて説明する。
【００３０】
［１−２．実施形態の構成］
図５は、第１の実施形態に係る投写型映像表示システム１０１の構成を示す図である。投写型映像表示システム１０１は、実質的に図３の投写型映像表示システム２０２の各構成要素と同様のスクリーン１１、プロジェクタ２１−１，２１−２、及び制御装置２２を備える。ただし、図５のプロジェクタ２１−１，２１−２は、プロジェクタ２１−１，２１−２とスクリーン１１との間におけるプロジェクタ２１−１，２１−２の光軸Ｐ１，Ｐ２間の距離が、スクリーン１１に近づくにつれて次第に増大するように構成される。各プロジェクタ２１−１，２１−２は、各プロジェクタ２１−１，２１−２の光軸Ｐ１，Ｐ２間の距離がスクリーン１１に近づくにつれて次第に増大するように、スクリーン１１に対して配置される。
【００３１】
プロジェクタ２１−１，２１−２は、互いに距離ｄ３を有し、また、スクリーン１１から距離ｄ２を有して配置される。各プロジェクタ２１−１，２１−２の光軸Ｐ１，Ｐ２とスクリーン１１とが交差する点Ｑ１，Ｑ２は、スクリーン１１の座標「−ｄ１」及び「＋ｄ１」にそれぞれ位置する。従って、スクリーン１１の位置における光軸Ｐ１，Ｐ２間の距離は、２×ｄ１である。図５からわかるように、ｄ３＜２×ｄ１が成り立つ。
【００３２】
図５の投写型映像表示システム１０１では、プロジェクタ２１−１，２１−２は、図３の場合よりも互いに近づけるように、かつ、図３の場合よりもスクリーン１１の左端及び右端に傾けて配置される。この結果、プロジェクタ２１−１，２１−２の光軸Ｐ１，Ｐ２は互いに平行にはならず、かつ、プロジェクタ２１−１，２１−２の光軸Ｐ１，Ｐ２間の距離が、スクリーン１１に近づくにつれて次第に増大する。
【００３３】
図５の投写型映像表示システム１０１では、座標「０」の付近（すなわち、各部分映像が互いに隣接する部分）において、各プロジェクタ２１−１，２１−２からスクリーン１１に対する入射角及び反射角を、図３の場合よりも小さくすることができる。これにより、スクリーン１１からの反射光の配光特性を制御し、次に図６を参照して説明するように、各部分映像が互いに隣接する部分における輝度の変化を低減することができる。
【００３４】
図６は、図１の投写型映像表示システム２０１及び図５の投写型映像表示システム１０１において観察者３１から見たスクリーンの輝度の変化を示すグラフである。図６もまた、図４と同様に、スクリーン１１Ａ，１１の座標−ｄ１〜＋ｄ１の範囲における各点を観察者３１から見たときの相対輝度を表す。図４及び図６を比較すると、図５の投写型映像表示システム１０１では、図３の投写型映像表示システム２０２よりも、各部分映像が互いに隣接する部分（座標「０」の付近）における輝度の変化を低減することができる。
【００３５】
前述のように、スクリーン１１は、スクリーン１１の面に対して垂直に入射光が到来するとき、スクリーン１１の面に対して垂直な反射光の輝度を基準として、６０度より小さくゼロより大きい輝度半値角θ０（図５の点Ｑ０を参照）で入射光を拡散する。スクリーン１１は、４５度以下の輝度半値角θ０を有してもよく、３０度以下の輝度半値角θ０を有してもよい。
【００３６】
図５の投写型映像表示システム１０１でも、エッジブレンディングを行うことにより、各プロジェクタ２１−１，２１−２によりスクリーン１１に投写された部分映像を滑らかに連結することができる。
【００３７】
以上説明したように、第１の実施形態に係る投写型映像表示システム１０１によれば、指向性を有するスクリーン１１を使用する場合であっても、各部分映像が互いに隣接する部分における輝度の差を生じにくくすることができる。従って、例えば大画面のスクリーン１１を大勢の観察者が見る際、スクリーン１１に対して斜め方向に位置した観察者から見ても、滑らかに連結された自然な映像を表示することができる。
【００３８】
［１−３．変形例］
図７は、第１の実施形態の第１の変形例に係る投写型映像表示システム１０２の構成を示す図である。図７の投写型映像表示システム１０２は、図５のプロジェクタ２１−１，２１−２に代えて、プロジェクタ２１Ａ−１，２１Ａ−２を含む。
【００３９】
図８は、図７のプロジェクタ２１Ａ−１のレンズシフト動作を説明する図である。プロジェクタ２１Ａ−１は、ディジタルマイクロミラーデバイス（ＤＭＤ）などの光変調素子４１と、その後段に設けられる複数のレンズ４２，４３とを備える。図８では、説明の簡単化のために、光変調素子４１の前段の光学系及び他の構成要素を省略している。プロジェクタ２１Ａ−１は、レンズ４３の光軸を光変調素子４１及びレンズ４２の光軸に対して偏心させ、これにより、プロジェクタ２１Ａ−１からスクリーン１１への光軸の方向を変更するレンズシフト機構を備える。
【００４０】
プロジェクタ２１Ａ−２もまた、図８のプロジェクタ２１Ａ−１と同様に構成される。
【００４１】
各プロジェクタ２１Ａ−１，２１Ａ−２がレンズシフト機構を備えたことにより、各プロジェクタ２１Ａ−１，２１Ａ−２の光軸Ｐ１，Ｐ２間の距離が、スクリーン１１に近づくにつれて次第に増大する。従って、図７の投写型映像表示システム１０２によれば、図５の投写型映像表示システム１０１と同様に、指向性を有するスクリーン１１を使用する場合であっても、各部分映像が互いに隣接する部分における輝度の差を生じにくくすることができる。
【００４２】
図７の投写型映像表示システム１０２によれば、レンズシフト機構を用いることで、スクリーン１１に投写される部分映像のサイズを変更することなく、スクリーン１１に投写される部分映像の位置をシフトすることができる。従って、投写される部分映像に台形歪みが発生しにくくなり、また、台形歪みの補正が不要になる結果、台形歪みを補正することに起因する解像度の劣化も発生しなくなる。従って、図７の投写型映像表示システム１０２によれば、高解像度の映像を表示することができる。
【００４３】
各プロジェクタ２１Ａ−１，２１Ａ−２は、レンズシフト機構に代えて、対物レンズの後段（又は前段）においてミラー及び／又はプリズムなどを備え、これにより、各プロジェクタからスクリーンへの光軸の方向を変更してもよい。この場合もまた、レンズシフト機構を備えた場合と同様の効果が得られる。
【００４４】
図９は、第１の実施形態の第２の変形例に係る投写型映像表示システム１０３の構成を示す図である。図１０は、第１の実施形態の第３の変形例に係る投写型映像表示システム１０４の構成を示す図である。第１の実施形態に係る投写型映像表示システムは、３つ以上のプロジェクタを含んでもよい。図９の投写型映像表示システム１０３は、３つのプロジェクタ２１−１〜２１−３を含む。図１０の投写型映像表示システム１０４は、４つのプロジェクタ２１−１〜２１−４を含む。また、図９及び図１０の投写型映像表示システム１０３，１０４は、入射光を部分的に拡散反射し、入射光を部分的に直接透過するスクリーン１１Ｂを含む。スクリーン１１Ｂは、図５のスクリーン１１と同様に指向性を有する。
【００４５】
図９及び図１０の投写型映像表示システム１０３，１０４において、複数のプロジェクタ２１のうち、スクリーン１１Ｂにおいて互いに隣接する領域に映像をそれぞれ投写する各一対のプロジェクタ２１は、当該一対のプロジェクタ２１とスクリーン１１Ｂとの間における当該一対のプロジェクタ２１の光軸間の距離が、スクリーン１１Ｂに近づくにつれて次第に増大するように構成される。これにより、図５の投写型映像表示システム１０１と同様に、指向性を有するスクリーン１１Ｂを使用する場合であっても、各部分映像が互いに隣接する部分における輝度の差を生じにくくすることができる。
【００４６】
また、スクリーン１１Ｂは、入射光を部分的に拡散反射し、入射光を部分的に直接透過するので、観察者３１〜３３は、スクリーン１１Ｂに投写された映像を見ながら、スクリーン１１Ｂの背後にある物体５１（又は、背景もしくは風景）を見ることができる。
【００４７】
スクリーン１１Ｂは、例えば特許文献２に開示されるような、特殊な拡散微粒子を含む透過型のスクリーンである。この拡散微粒子は、スクリーン１１Ｂの内部に微量に分散されている。これにより、スクリーン１１Ｂは、プロジェクタ２１からの入射光の一部を大きく拡散して映像を表示するとともに、背景からの光を直接透過させる。拡散された光の一部はスクリーンの裏面と空気との界面で反射するので、透過型のスクリーンは、反射型のスクリーンとしても使用可能である。透過型のスクリーン１１Ｂを用いることにより、例えば、高層ビルの窓から見える夜景に重畳するように窓に映像を投写したり、店舗の展示ウィンドウの内側に配置された商品に重畳するように展示ウィンドウに映像を投写したりすることができる。このように、プロジェクタによる新しい映像表現を実現するキーデバイスとして、透過型のスクリーンは期待されている。
【００４８】
図９及び図１０は、各プロジェクタ２１がスクリーン１１Ｂにおいて左右に隣接する領域に映像をそれぞれ投写する場合を示す。代替又は追加として、各プロジェクタ２１は、スクリーン１１Ｂにおいて上下に隣接する領域に映像をそれぞれ投写してもよい。この場合もまた、各部分映像が互いに隣接する部分における輝度の差を生じにくくすることができる。
【００４９】
［１−４．効果等］
第１の実施形態に係る投写型映像表示システムは、所定の輝度半値角で入射光を拡散するスクリーン１１と、スクリーン１１に映像をそれぞれ投写する複数のプロジェクタ２１とを備える。複数のプロジェクタ２１のうち、スクリーン１１において互いに隣接する領域に映像をそれぞれ投写する各一対のプロジェクタ２１は、当該一対のプロジェクタ２１とスクリーン１１との間における当該一対のプロジェクタ２１の光軸間の距離が、スクリーン１１に近づくにつれて次第に増大するように構成される。
【００５０】
これにより、指向性を有するスクリーン１１を使用する場合であっても、各部分映像が互いに隣接する部分における輝度の差を生じにくくすることができる。
【００５１】
第１の実施形態に係る投写型映像表示システムにおいて、各プロジェクタ２１は、当該プロジェクタ２１からスクリーン１１への光軸の方向を変更するレンズシフト機構を備えてもよい。
【００５２】
これにより、各プロジェクタ２１からスクリーン１１への光軸の方向を変更することができる。
【００５３】
第１の実施形態に係る投写型映像表示システムにおいて、各プロジェクタ２１は、各一対のプロジェクタ２１の光軸間の距離がスクリーン１１に近づくにつれて次第に増大するように、スクリーン１１に対して配置されてもよい。
【００５４】
これにより、各プロジェクタ２１からスクリーン１１への光軸の方向を変更することができる。
【００５５】
第１の実施形態に係る投写型映像表示システムにおいて、スクリーン１１は、スクリーン１１の面に対して垂直に入射光が到来するとき、６０度より小さい輝度半値角で入射光を拡散するように構成されてもよい。
【００５６】
これにより、指向性を有するスクリーン１１を使用する場合であっても、各部分映像が互いに隣接する部分における輝度の差を生じにくくすることができる。
【００５７】
第１の実施形態に係る投写型映像表示システムにおいて、スクリーン１１は、スクリーン１１の面に対して垂直に入射光が到来するとき、４５度以下の輝度半値角で入射光を拡散するように構成されてもよい。
【００５８】
これにより、指向性を有するスクリーン１１を使用する場合であっても、各部分映像が互いに隣接する部分における輝度の差を生じにくくすることができる。
【００５９】
第１の実施形態に係る投写型映像表示システムにおいて、スクリーン１１は、スクリーン１１の面に対して垂直に入射光が到来するとき、３０度以下の輝度半値角で入射光を拡散するように構成されてもよい。
【００６０】
これにより、指向性を有するスクリーン１１を使用する場合であっても、各部分映像が互いに隣接する部分における輝度の差を生じにくくすることができる。
【００６１】
第１の実施形態に係る投写型映像表示システムにおいて、各プロジェクタ２１は、スクリーン１１において互いに隣接する領域にそれぞれ投写される各一対の映像が互いに部分的に重畳されるように、かつ、一方の映像の領域から他方の映像の領域に進むときに、部分的に重畳する領域において一方の映像の輝度が次第に低下して他方の映像の輝度が次第に増大するように、スクリーン１１に映像をそれぞれ投写するように構成されてもよい。
【００６２】
これにより、スクリーン１１において互いに隣接する領域にそれぞれ投写される部分映像を滑らかに連結することができる。
【００６３】
第１の実施形態に係る投写型映像表示システムにおいて、スクリーン１１は入射光を拡散反射するように構成されてもよい。
【００６４】
これにより、１つの投写型映像表示装置により投写可能な領域を超える広い領域に映像を投写することができる。
【００６５】
第１の実施形態に係る投写型映像表示システムにおいて、スクリーン１１Ｂは、入射光を部分的に拡散反射し、入射光を部分的に直接透過するように構成されてもよい。
【００６６】
これにより、観察者３１〜３３は、スクリーン１１Ｂに投写された映像を見ながら、スクリーン１１Ｂの背後にある物体（又は、背景もしくは風景）を見ることができる。
【００６７】
［２．第２の実施形態］
第１の実施形態では、反射型のスクリーンを含む投写型映像表示システムについて説明した。一方、第２の実施形態では、反射型のスクリーンに代えて、透過型のスクリーンを含む投写型映像表示システムについて説明する。
【００６８】
以下、図１１〜図１６を参照して、第２の実施形態について説明する。
【００６９】
［２−１．比較例の構成］
図１１は、第２の実施形態の第１の比較例に係る投写型映像表示システム２１１の構成を示す図である。図１１では、スクリーンが完全拡散性を有する場合について説明する。投写型映像表示システム２１１は、スクリーン１２Ａ、プロジェクタ２１−１，２１−２、及び制御装置２２を含む。
【００７０】
スクリーン１２Ａは平坦な透過型のスクリーンである。スクリーン１２Ａの輝度半値角は６０度以上であり、スクリーン１２Ａは完全拡散性を有し、ランバートの余弦則に従う。
【００７１】
図１１のプロジェクタ２１−１，２１−２及び制御装置２２は、図１の対応する構成要素と同様に構成される。ただし、投写型映像表示システム２１１では、透過型のスクリーン１２Ａを用いるので、スクリーン１２Ａに対して観察者３１〜３３と逆の側に各プロジェクタ２１−１，２１−２が配置される。
【００７２】
各プロジェクタ２１−１，２１−２からスクリーン１２Ａへの入射角は、スクリーン１２Ａの各点の座標に応じて異なる。ただし、スクリーン１２Ａが完全拡散性を有するので、全面にわたって一様な輝度を有する映像を投写する場合、スクリーン１２Ａのどの点も互いに同じ輝度で見え、かつ、スクリーン１２Ａを見る観察者の位置にかかわらずスクリーン１２Ａは一定の輝度で見える。また、この場合、エッジブレンディングを行うことにより、各プロジェクタ２１−１，２１−２によりスクリーン１２Ａに投写された部分映像を滑らかに連結することができる。
【００７３】
反射型のスクリーンを含む投写型映像表示システム及び透過型のスクリーンを含む投写型映像表示システムにおいて、スクリーン及び各プロジェクタの位置関係が同じであり、かつ、スクリーンの光拡散特性が同じである場合、透過型のスクリーンの透過光の配光特性は、反射型のスクリーンの反射光の配光特性とほぼ同じになる。
【００７４】
図１２は、第２の実施形態の第２の比較例に係る投写型映像表示システム２１２の構成を示す図である。図３では、スクリーンが指向性を有する場合について説明する。投写型映像表示システム２１２は、図１１の完全拡散性のスクリーン１２Ａに代えて、指向性を有するスクリーン１２を備える。
【００７５】
スクリーン１２は平坦な透過型のスクリーンである。スクリーン１２は、スクリーン１２の面に対して垂直に入射光が到来するとき、スクリーン１２の面に対して垂直な透過光の輝度を基準として、６０度より小さくゼロより大きい輝度半値角で入射光を拡散する。スクリーン１２は、スクリーン１２の面に対して非ゼロの入射角で入射光が到来するときもまた、所定の配光特性で入射光を拡散する。スクリーン１２が指向性を有するので、スクリーン１２の各点による透過光の透過角は、各プロジェクタ２１−１，２１−２からスクリーン１２への入射角に応じて、すなわち、スクリーン１２の各点の座標に応じて異なる。これにより、全面にわたって一様な輝度を有する映像を投写する場合であっても、スクリーン１２の各点の輝度は、各点の座標に応じて異なり、また、スクリーン１２を見る観察者の位置に応じて異なる。
【００７６】
従って、指向性を有するスクリーン１２では、スクリーン１２の座標−ｄ１〜＋ｄ１の範囲における各点を観察者３１から見たとき、第１の実施形態の場合と同様に、各部分映像が互いに隣接する部分（座標「０」の付近）において輝度が大きく変化するように見える。
【００７７】
以下、指向性を有するスクリーンを使用する場合であっても、各部分映像が互いに隣接する部分における輝度の差を生じにくい、実施形態に係る投写型映像表示システムについて説明する。
【００７８】
［２−２．実施形態の構成］
図１３は、第２の実施形態に係る投写型映像表示システム１１１の構成を示す図である。投写型映像表示システム１１１は、実質的に図１２の投写型映像表示システム２０２の各構成要素と同様のスクリーン１２、プロジェクタ２１−１，２１−２、及び制御装置２２を備える。ただし、図１３のプロジェクタ２１−１，２１−２は、プロジェクタ２１−１，２１−２とスクリーン１２との間におけるプロジェクタ２１−１，２１−２の光軸Ｐ１，Ｐ２間の距離が、スクリーン１２に近づくにつれて次第に増大するように構成される。各プロジェクタ２１−１，２１−２は、各プロジェクタ２１−１，２１−２の光軸Ｐ１，Ｐ２間の距離がスクリーン１２に近づくにつれて次第に増大するように、スクリーン１２に対して配置される。
【００７９】
図１３の投写型映像表示システム１１１では、座標「０」の付近（すなわち、各部分映像が互いに隣接する部分）において、各プロジェクタ２１−１，２１−２からスクリーン１２に対する入射角及び透過角を、図１２の場合よりも小さくすることができる。これにより、スクリーン１２からの透過光の配光特性を制御し、各部分映像が互いに隣接する部分における輝度の変化を低減することができる。
【００８０】
前述のように、スクリーン１２は、スクリーン１２の面に対して垂直に入射光が到来するとき、スクリーン１２の面に対して垂直な透過光の輝度を基準として、６０度より小さくゼロより大きい輝度半値角で入射光を拡散する。スクリーン１２は、４５度以下の輝度半値角を有してもよく、３０度以下の輝度半値角を有してもよい。
【００８１】
図１３の投写型映像表示システム１１１でも、エッジブレンディングを行うことにより、各プロジェクタ２１−１，２１−２によりスクリーン１２に投写された部分映像を滑らかに連結することができる。
【００８２】
以上説明したように、第２の実施形態に係る投写型映像表示システム１１１によれば、指向性を有するスクリーン１２を使用する場合であっても、各部分映像が互いに隣接する部分における輝度の差を生じにくくすることができる。従って、例えば大画面のスクリーン１２を大勢の観察者が見る際、スクリーン１２に対して斜め方向に位置した観察者から見ても、滑らかに連結された自然な映像を表示することができる。
【００８３】
［２−３．変形例］
図１４は、第２の実施形態の第１の変形例に係る投写型映像表示システム１１２の構成を示す図である。図１４の投写型映像表示システム１０２は、図１３のプロジェクタ２１−１，２１−２に代えて、プロジェクタ２１Ａ−１，２１Ａ−２を含む。図１４のプロジェクタ２１Ａ−１，２１Ａ−２は、図７のプロジェクタ２１Ａ−１，２１Ａ−２と同様に構成される。
【００８４】
各プロジェクタ２１Ａ−１，２１Ａ−２がレンズシフト機構を備えたことにより、各プロジェクタ２１Ａ−１，２１Ａ−２の光軸Ｐ１，Ｐ２間の距離が、スクリーン１２に近づくにつれて次第に増大する。従って、図１４の投写型映像表示システム１１２によれば、図１３の投写型映像表示システム１１１と同様に、指向性を有するスクリーン１２を使用する場合であっても、各部分映像が互いに隣接する部分における輝度の差を生じにくくすることができる。
【００８５】
図１４の投写型映像表示システム１１２によれば、レンズシフト機構を用いることで、スクリーン１２に投写される部分映像のサイズを変更することなく、スクリーン１２に投写される部分映像の位置をシフトすることができる。従って、投写される部分映像に台形歪みが発生しにくくなり、また、台形歪みの補正が不要になる結果、台形歪みを補正することに起因する解像度の劣化も発生しなくなる。従って、図１４の投写型映像表示システム１１２によれば、高解像度の映像を表示することができる。
【００８６】
図１５は、第２の実施形態の第２の変形例に係る投写型映像表示システム１１３の構成を示す図である。図１６は、第２の実施形態の第３の変形例に係る投写型映像表示システム１１４の構成を示す図である。第２の実施形態に係る投写型映像表示システムもまた、３つ以上のプロジェクタを含んでもよい。図１５の投写型映像表示システム１１３は、３つのプロジェクタ２１−１〜２１−３を含む。図１６の投写型映像表示システム１１４は、４つのプロジェクタ２１−１〜２１−４を含む。また、図１５及び図１６の投写型映像表示システム１１３，１１４は、入射光を部分的に拡散透過し、入射光を部分的に直接透過するスクリーン１２Ｂを含む。スクリーン１２Ｂは、図１３のスクリーン１２と同様に指向性を有する。
【００８７】
図１５及び図１６の投写型映像表示システム１１３，１１４において、複数のプロジェクタ２１のうち、スクリーン１２Ｂにおいて互いに隣接する領域に映像をそれぞれ投写する各一対のプロジェクタ２１は、当該一対のプロジェクタ２１とスクリーン１２Ｂとの間における当該一対のプロジェクタ２１の光軸間の距離が、スクリーン１２Ｂに近づくにつれて次第に増大するように構成される。これにより、図１３の投写型映像表示システム１１１と同様に、指向性を有するスクリーン１２Ｂを使用する場合であっても、各部分映像が互いに隣接する部分における輝度の差を生じにくくすることができる。
【００８８】
また、スクリーン１２Ｂは、入射光を部分的に拡散透過し、入射光を部分的に直接透過するので、観察者３１〜３３は、スクリーン１２Ｂに投写された映像を見ながら、スクリーン１２Ｂの背後にある物体５１（又は、背景もしくは風景）を見ることができる。
【００８９】
図１５及び図１６は、各プロジェクタ２１がスクリーン１２Ｂにおいて左右に隣接する領域に映像をそれぞれ投写する場合を示す。代替又は追加として、各プロジェクタ２１は、スクリーン１２Ｂにおいて上下に隣接する領域に映像をそれぞれ投写してもよい。この場合もまた、各部分映像が互いに隣接する部分における輝度の差を生じにくくすることができる。
【００９０】
［２−４．効果等］
第２の実施形態に係る投写型映像表示システムは、所定の輝度半値角で入射光を拡散するスクリーン１２と、スクリーン１２に映像をそれぞれ投写する複数のプロジェクタ２１とを備える。複数のプロジェクタ２１のうち、スクリーン１２において互いに隣接する領域に映像をそれぞれ投写する各一対のプロジェクタ２１は、当該一対のプロジェクタ２１とスクリーン１２との間における当該一対のプロジェクタ２１の光軸間の距離が、スクリーン１２に近づくにつれて次第に増大するように構成される。
【００９１】
これにより、指向性を有するスクリーン１２を使用する場合であっても、各部分映像が互いに隣接する部分における輝度の差を生じにくくすることができる。
【００９２】
第２の実施形態に係る投写型映像表示システムにおいて、各プロジェクタ２１は、当該プロジェクタ２１からスクリーン１２への光軸の方向を変更するレンズシフト機構を備えてもよい。
【００９３】
これにより、各プロジェクタ２１からスクリーン１２への光軸の方向を変更することができる。
【００９４】
第２の実施形態に係る投写型映像表示システムにおいて、各プロジェクタ２１は、各一対のプロジェクタ２１の光軸間の距離がスクリーン１２に近づくにつれて次第に増大するように、スクリーン１２に対して配置されてもよい。
【００９５】
これにより、各プロジェクタ２１からスクリーン１２への光軸の方向を変更することができる。
【００９６】
第２の実施形態に係る投写型映像表示システムにおいて、スクリーン１２は、スクリーン１２の面に対して垂直に入射光が到来するとき、６０度より小さい輝度半値角で入射光を拡散するように構成されてもよい。
【００９７】
これにより、指向性を有するスクリーン１２を使用する場合であっても、各部分映像が互いに隣接する部分における輝度の差を生じにくくすることができる。
【００９８】
第２の実施形態に係る投写型映像表示システムにおいて、スクリーン１２は、スクリーン１２の面に対して垂直に入射光が到来するとき、４５度以下の輝度半値角で入射光を拡散するように構成されてもよい。
【００９９】
これにより、指向性を有するスクリーン１２を使用する場合であっても、各部分映像が互いに隣接する部分における輝度の差を生じにくくすることができる。
【０１００】
第２の実施形態に係る投写型映像表示システムにおいて、スクリーン１２は、スクリーン１２の面に対して垂直に入射光が到来するとき、３０度以下の輝度半値角で入射光を拡散するように構成されてもよい。
【０１０１】
これにより、指向性を有するスクリーン１２を使用する場合であっても、各部分映像が互いに隣接する部分における輝度の差を生じにくくすることができる。
【０１０２】
第２の実施形態に係る投写型映像表示システムにおいて、各プロジェクタ２１は、スクリーン１２において互いに隣接する領域にそれぞれ投写される各一対の映像が互いに部分的に重畳されるように、かつ、一方の映像の領域から他方の映像の領域に進むときに、部分的に重畳する領域において一方の映像の輝度が次第に低下して他方の映像の輝度が次第に増大するように、スクリーン１２に映像をそれぞれ投写するように構成されてもよい。
【０１０３】
これにより、スクリーン１２において互いに隣接する領域にそれぞれ投写される部分映像を滑らかに連結することができる。
【０１０４】
第２の実施形態に係る投写型映像表示システムにおいて、スクリーン１２は入射光を拡散透過するように構成されてもよい。
【０１０５】
これにより、１つの投写型映像表示装置により投写可能な領域を超える広い領域に映像を投写することができる。
【０１０６】
第２の実施形態に係る投写型映像表示システムにおいて、スクリーン１２は、入射光を部分的に拡散透過し、入射光を部分的に直接透過するように構成されてもよい。
【０１０７】
これにより、観察者３１〜３３は、スクリーン１２Ｂに投写された映像を見ながら、スクリーン１２Ｂの背後にある物体（又は、背景もしくは風景）を見ることができる。
【０１０８】
（その他の実施形態）
以上のように、本出願において開示する技術の例示として、第１及び第２の実施形態を説明した。しかしながら、本開示における技術は、これに限定されず、適宜、変更、置換、付加、省略などを行った実施形態にも適用可能である。また、第１及び第２の実施形態で説明した各構成要素を組み合わせて、新たな実施形態とすることも可能である。
【０１０９】
スクリーンは、平坦なスクリーンに限定されず、曲面状のスクリーンであってもよい。
【０１１０】
スクリーンに近づくにつれてプロジェクタの光軸間の距離を次第に増大させるために、プロジェクタをスクリーンに対して傾けて配置することと、レンズシフト機構とを組み合わせてもよい。
【０１１１】
以上のように、本開示における技術の例示として、実施形態を説明した。そのために、添付図面及び詳細な説明を提供した。
【０１１２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１３】
また、上述の実施形態は、本開示における技術を例示するためのものであるから、特許請求の範囲又はその均等の範囲において種々の変更、置換、付加、省略などを行うことができる。
【産業上の利用可能性】
【０１１４】
本開示は、複数の投写型映像表示装置を含む投写型映像表示システムに適用可能である。本開示はまた、透過型のスクリーンを含み、スクリーンに映像を投写しながら、スクリーンの背後にある物体（又は、背景もしくは風景）を見ることができる投写型映像表示システムに適用可能である。
【符号の説明】
【０１１５】
１１，１２，１１Ｂ，１２Ｂ…スクリーン、
２１−１，２１−２，２１Ａ−１，２１Ａ−２…プロジェクタ、
２２…制御装置、
３１〜３３…観察者、
４１…光変調素子、
４２，４３…レンズ、
５１…物体、
１０１〜１０４、１１１〜１１４…投写型映像表示システム。
【図１】
2020071308.tif 000003
【図２】
2020071308.tif 000004
【図３】
2020071308.tif 000005
【図４】
2020071308.tif 000006
【図５】
2020071308.tif 000007
【図６】
2020071308.tif 000008
【図７】
2020071308.tif 000009
【図８】
2020071308.tif 000010
【図９】
2020071308.tif 000011
【図１０】
2020071308.tif 000012
【図１１】
2020071308.tif 000013
【図１２】
2020071308.tif 000014
【図１３】
2020071308.tif 000015
【図１４】
2020071308.tif 000016
【図１５】
2020071308.tif 000017
【図１６】
2020071308.tif 000018
【手続補正書】
【提出日】平成30年11月14日(2018.11.14)
【手続補正１】
【補正対象書類名】明細書
【補正対象項目名】００２２
【補正方法】変更
【補正の内容】
【００２２】
図２は、エッジブレンディングにより互いに部分的に重畳される映像の輝度の変化を説明する図である。図２では、各プロジェクタ２１−１，２１−２の投写範囲のうち、図１の座標「−ｄ」〜「＋ｄ」の範囲のみを示す。プロジェクタ２１−１，２１−２は、スクリーン１１Ａにおいて互いに隣接する領域にそれぞれ投写される部分映像を滑らかに連結するために、エッジブレンディングを行う。前述のように、各プロジェクタ２１−１，２１−２からスクリーン１１Ａに投写された部分映像は、互いに部分的に重畳する。このとき、各プロジェクタ２１−１，２１−２は、一方の部分映像の領域から他方の部分映像の領域に進むときに、部分的に重畳する領域において一方の部分映像の輝度が次第に低下して他方の部分映像の輝度が次第に増大するように、スクリーン１１Ａに部分映像をそれぞれ投写する。プロジェクタ２１−１によって投写される部分映像の輝度は、例えば、部分的に重畳する領域の中央（座標「０」）において、プロジェクタ２１−２によって投写される部分映像に重畳しない領域の輝度の半分になる。同様に、プロジェクタ２１−２によって投写される部分映像の輝度は、例えば、部分的に重畳する領域の中央において、プロジェクタ２１−１によって投写される部分映像に重畳しない領域の輝度の半分になる。このように部分映像の輝度を変化させることにより、プロジェクタ２１−１によって投写される部分映像の領域からプロジェクタ２１−２によって投写される部分映像の領域にわたって、映像の輝度が連続的に変化し、従って、滑らかに連結された自然な映像が表示される。
【手続補正２】
【補正対象書類名】明細書
【補正対象項目名】００７４
【補正方法】変更
【補正の内容】
【００７４】
図１２は、第２の実施形態の第２の比較例に係る投写型映像表示システム２１２の構成を示す図である。図１２では、スクリーンが指向性を有する場合について説明する。投写型映像表示システム２１２は、図１１の完全拡散性のスクリーン１２Ａに代えて、指向性を有するスクリーン１２を備える。
【手続補正３】
【補正対象書類名】明細書
【補正対象項目名】００８３
【補正方法】変更
【補正の内容】
【００８３】
［２−３．変形例］
図１４は、第２の実施形態の第１の変形例に係る投写型映像表示システム１１２の構成を示す図である。図１４の投写型映像表示システム１１２は、図１３のプロジェクタ２１−１，２１−２に代えて、プロジェクタ２１Ａ−１，２１Ａ−２を含む。図１４のプロジェクタ２１Ａ−１，２１Ａ−２は、図７のプロジェクタ２１Ａ−１，２１Ａ−２と同様に構成される。